(57)【要約】【課題】複数のアプリケーションの起動が可能な折り畳み型の携帯通信端末において、端末本体を収納する際に、バックグラウンドで起動中のアプリケーションがある場合に、それをユーザに通知し、バッテリの不要な電力消費を低減する。【解決手段】表示部１０１を備える第１の筐体１００と、操作部２０１を備える第２の筐体２００とが開閉可能に構成された携帯通信端末であって、複数のアプリケーションの起動が可能な携帯通信端末において、第１の筐体１００と第２の筐体２００の開閉状態を検出するための開閉検出手段３０１と、前記開閉検出手段３０１により携帯通信端末の筐体が閉状態になったことを検出した際に、バックグラウンドで起動中のアプリケーションがある場合には、当該起動中のアプリケーションがあることを通知する報知部２０５とを備える。【選択図】図１
2010213345.tif 000002
【特許請求の範囲】
【請求項１】
表示部を備える第１の筐体と、操作部を備える第２の筐体とが、開閉可能に構成された携帯通信端末であって、複数のアプリケーションの起動が可能な携帯通信端末において、
第１の筐体と第２の筐体の開閉状態を検出する開閉検出手段と、
該開閉検出手段により携帯通信端末の筐体が閉状態になったことを検出した際に、バックグラウンドで起動中のアプリケーションがある場合、当該バックグラウンドで起動中のアプリケーションがあることを通知するための報知手段と、
を備えることを特徴とする携帯通信端末。
【請求項２】
前記閉状態とは、前記第２の筐体が前記第１の筐体に重なることによって前記表示部が覆われた状態であることを特徴とする請求項１に記載の携帯端末装置。
【請求項３】
前記携帯通信端末が折り畳み型、またはスライド開閉型の携帯通信端末であることを特徴とする請求項１または２に記載の携帯通信端末。
【発明の詳細な説明】
【技術分野】
【０００１】
本発明は、複数のアプリケーションの起動が可能な開閉可能な構成（例えば折り畳み型又はスライド開閉型）した携帯通信端末に関し、特に、端末本体を収納する際に、バックグラウンドで起動中のアプリケーションがある場合には、それをユーザに通知することができる携帯通信端末に関する。
【背景技術】
【０００２】
従来の携帯電話では基本的にシングルタスクで処理されていたため、複数のアプリケーションが起動できず、起動中のアプリケーションを一旦終了した上で別のアプリケーションを起動する必要があった。
【０００３】
従来の携帯電話で利用可能なアプリケーションとしてメールアプリケーションや電話帳アプリケーション等があるが、例えばメールアプリケーションを起動してメールを作成している間に音声着信があった場合、作成中のメールデータとメールアプリケーションの状態を保存した後で音声着信の報知を行い、音声通話を終了した時点で再度メール作成アプリケーションを起動して保存していたデータを読み出して着信前の状態に戻す必要があった。
【０００４】
これに対して近年携帯通信端末の高性能化に伴い、携帯通信端末で実行できるアプリケーションの種類も増え、複数のアプリケーションを同時に起動・処理できる端末も登場している。
【０００５】
このような携帯通信端末では、従来の端末で利用可能なアプリケーションに加え、カメラアプリケーションやＷｅｂブラウザ、音楽プレーヤ、ゲームといった多数のアプリケーションが利用できるようになっている。
【０００６】
このような端末ではあるアプリケーションを実行中に別のアプリケーションを起動する場合起動中のアプリケーションを閉じる必要がなく、先に起動していたアプリケーションをバックグラウンドで実行しながら新たなアプリケーションをフォアグラウンドで実行できるように構成されている。
【０００７】
例えば音楽プレーヤで音楽を再生中にメールアプリケーションを起動した場合、音楽プレーヤはバックグラウンドで再生を続けながら、画面にはメールアプリケーションが表示され、メールの閲覧や作成が可能となる。
【０００８】
しかし、上述したような複数のアプリケーションを同時に起動可能な携帯通信端末では、もともとディスプレイサイズが小さいために、複数のアプリケーションを同時に起動できたとしても１つのアプリケーションで画面を占有することが多く、起動中のアプリケーションをユーザが終了し忘れてしまうと多数のアプリケーションが終了されないままバックグラウンドで実行され続けるという情況が発生することがある。
【０００９】
例えばゲームを起動して遊んでいる間にメール着信を受け、受信メールに対する返信を作成中に音声着信が入って音声通話を行うといった状況が起こり得る。
【００１０】
この場合ゲームとメールアプリケーションがバックグラウンドで実行されたまま端末の画面は着信画面となり、ユーザの応答で画面が通話画面に切り替わる。
【００１１】
ユーザが起動中のアプリケーションを覚えていて、通話終了時にバックグラウンドのアプリケーションを呼び出せば問題ないが、通話が長引いたりすると、着信前の作業を忘れて通話終了後に急いで端末をしまい込んでしまい、ゲームとメールアプリが起動されたままになってしまう。
【００１２】
このように複数のアプリケーションが起動されたままになってしまうと、リソース不足によって携帯通信端末のパフォーマンスが低下してしまったり、起動中のアプリケーションの影響で消費電力が増大してしまうという問題がある。
【００１３】
このような問題を解決するための従来技術の携帯通信端末としては、複数のアプリケーションが起動されている状態で、アプリケーションの切り替え時や着信時、終話時に他に起動されているアプリケーションが存在することをユーザに通知し、アプリケーションの切り替え操作を容易にするものがある。
【００１４】
また、例えば、市販の折り畳み型携帯電話において、携帯電話を開けたときに不在着信や受信メールを振動で通知する機能を搭載している製品がある。
【００１５】
携帯通信端末のアプリケーションについては下記の特許文献に開示されている。
【先行技術文献】
【特許文献】
【００１６】
【特許文献１】特開２００２−２３２９５９号公報
【発明の概要】
【発明が解決しようとする課題】
【００１７】
しかし、前述した従来技術の携帯通信端末のように、アプリケーションの切り替え時や着信時、終話時などに頻繁にユーザに通知する場合、かえってユーザが煩わしさを感じてしまう結果となる。
【００１８】
未使用時（待受けのみ）のバッテリの消費電力の低減を目的にする場合、ユーザが端末を閉じる操作をする時点を検出し、その時点でユーザに起動中のアプリケーションが存在することを通知すればよい。
【００１９】
また、前述した市販の折り畳み型携帯電話においては、携帯電話を開けたときに不在着信や受信メールを振動で通知する機能を搭載しているが、逆に端末を閉じる時に振動や音で端末の状態を通知するという機能はない。
【００２０】
本発明はこのような問題を解決するためになされたもので、その目的は、複数のアプリケーションの起動が可能な折り畳み型（又はスライド開閉型）の携帯通信端末において、端末本体を収納する際に、バックグラウンドで起動中のアプリケーションがある場合には、それをユーザに通知し、バッテリの不要な電力消費を低減することができる携帯通信端末を提供することにある。
【課題を解決するための手段】
【００２１】
本発明は上記課題を解決するためになされたものであり、本発明の携帯通信端末は、表示部を備える第１の筐体と、操作部を備える第２の筐体とが、開閉可能に構成された携帯通信端末であって、複数のアプリケーションの起動が可能な携帯通信端末において、第１の筐体と第２の筐体の開閉状態を検出する開閉検出手段と、前記開閉検出手段により携帯通信端末の筐体が閉状態になったことを検出した場合に、起動中のアプリケーションがあるときに、該起動中のアプリケーションがあることを通知するための報知手段とを備えることを特徴とする。
【００２２】
これにより、ユーザに確実に実行中のアプリケーションの存在を通知できる。
【００２３】
また、携帯通信端末を使用していない時にバックグラウンドで実行が継続されたままとなるアプリケーションを減らすことができるので、無駄な電力消費を低減できる。
【００２４】
さらに、バックグラウンドで実行が継続されたままとなるアプリケーションを減らすことができるので、リソース不足によるパフォーマンスの低下を避けることができる。
【００２５】
またさらに、起動中のアプリケーションを通知する際に、表示部にアプリケーションの種別を表示することもでき、ユーザにアプリケーションを終了するか、継続するかを判断させることができる。
【００２６】
また、本発明の携帯通信端末は、前記携帯通信端末が折り畳み型、またはスライド開閉型の携帯通信端末であることを特徴とし、ここにいう閉状態とは、第１の筐体の表示部が第２の筐体と重なることをいう。
【００２７】
これにより、折り畳み型、またはスライド開閉型の両方の携帯通信端末に本発明を適用することができる。
【発明の効果】
【００２８】
以上説明したように、本発明の携帯通信端末においては、ユーザに確実に実行中のアプリケーションの存在を通知できる。
【図面の簡単な説明】
【００２９】
【図１】本発明による携帯通信端末の構成例を示す図である。
【図２】第１の筐体と第２の筐体を折り畳む（閉状態とする）場合の処理の流れを示す図である。
【発明を実施するための形態】
【００３０】
次に本発明の実施の形態例について図面を参照して説明する。
【００３１】
本発明の携帯通信端末は、複数のアプリケーションの起動が可能な折り畳み型（又はスライド開閉型）の携帯通信端末において、携帯通信端末を収納する際にバックグラウンドで起動中のアプリケーションがある場合に、それをユーザに通知する機能を提供する携帯通信端末である。
【００３２】
例えば、折り畳み型の携帯通信端末を閉じて収納する際に、振動や音によって起動中のアプリケーションがあることをユーザに通知するものである。
【００３３】
図１に本実施形態による携帯通信端末の構成例を示す。
【００３４】
図１（ａ）に示すように、第１の筐体１００には、携帯通信端末が出力する文字情報や画像情報を表示する表示部１０１などが備えられ、第２の筐体２００には、テンキー２０１ａや方向キー等などの操作部が備えられる。
【００３５】
第１の筐体１００と第２の筐体２００は結合部３００を介して開閉可能、あるいは回動可能に結合されており、図１（ａ）に示すようなテンキー２０１ａ等が使用可能な第１の状態（以下、開状態）と、テンキー２０１ａ等が収納された第２の状態（以下、閉状態）を持っている（図示せず）。
【００３６】
携帯通信端末のユーザは一般に開状態で通話やキー操作を行い、使用後は携帯通信端末本体を閉状態にして鞄やポケットの中に収納する。
【００３７】
また、第１の筐体１００と第２の筐体２００との結合部３００には筐体の開閉状態を検出するための開閉検出手段（例えば、開閉スイッチなど）を備えている。
【００３８】
なお、この例では結合部３００に開閉検出手段を設けるが、開閉状態を検出できるのであれば他の部分に設けてもよい。
【００３９】
図１（ｂ）は、本実施形態による携帯通信端末の回路構成例を示すブロック図であり、第１の筐体１００には、携帯通信端末が出力する文字情報や画像情報を表示する表示部１０１、音声情報を出力するイヤスピーカ１０２、ＣＣＤのような撮像手段を持ち、画像データを取り込む撮像部１０３などが備えられる。
【００４０】
第２の筐体には、無線通信用の無線部２０２やアンテナ２０２ａ、携帯通信端末全体を制御する制御部２０３、アプリケーションプログラムやデータファイルを格納する記憶部２０４、着信報知用のバイブレータ（バイブレータ用モータなど）など用いた報知部２０５、駆動用バッテリ２０６などが搭載される。
【００４１】
制御部２０３は、複数のアプリケーションプログラムを記憶部２０４から読み出して、同時に実行することが可能である。
【００４２】
また、結合部３００には、第１の筐体１００と第２の筐体２００の開閉状態を検出するための開閉検出手段３０１が設けられる。
【００４３】
携帯通信端末の電源ボタンの押下で、制御部２０３は記憶部２０４から携帯通信端末の基本機能を実現するプログラム（ＯＳなど）を起動し、システムの初期化を行った後、待ち受け状態に移行する。
【００４４】
ユーザの操作でアプリケーションが起動された場合、制御部２０３は、起動されたアプリケーションの情報（アプリケーション名や起動中アプリケーション数、アプリケーションに対応したアイコン情報等）を起動中アプリケーション情報として記憶部２０４に保存する。
【００４５】
ユーザが使用中のアプリケーションを終了した場合、制御部２０３は起動中アプリケーション情報から、終了されたアプリケーションに対応する情報を削除し、起動中アプリケーション数を更新する。
【００４６】
ユーザが携帯通信端末の使用を終え、携帯通信端末を開状態から閉状態に変更する場合、状態の変化を結合部３００中の開閉検出手段３０１で検出し、開状態から閉状態への状態変化であれば、制御部２０３は起動中のアプリケーション数を取得する。
【００４７】
この時、通常の電話機能以外に他のアプリケーションが起動されている場合には、報知部２０５内のバイブレータの駆動による振動や、警告音の鳴動によってこれをユーザに通知する。
【００４８】
なお、ユーザへの通知は警告音と振動の組み合わせでもよいし、マナーモード設定時には振動のみでもよい。
【００４９】
また、通知の期間はユーザによる停止動作が行われるまででもよいし、消費電力を抑えるために数回、ないし数秒間の通知でもよい。
【００５０】
一方、閉状態から開状態へ変化している場合には、メインディスプレイの点灯やキーＬＥＤの点灯等、ユーザが携帯通信端末を使用するための準備を行う。
【００５１】
また、ユーザに起動中アプリケーションの存在を通知する際に、閉状態でユーザに見える面にある表示部（折り畳み型なら背面のサブディスプレイ、スライド開閉型でメインディスプレイが常に表面にあるタイプのディスプレイ）に起動中のアプリケーションが判別できる情報の表示を行ってもよい。
【００５２】
これは起動中のアプリケーション名をテキストで表示してもよいし、起動中のアプリケーションのアイコン表示でもよい。
【００５３】
この表示によってユーザはアプリケーションの種別を判別し、アプリケーションを終了するか、起動中のアプリケーションを継続するか等の判断が簡単にできるようになる。
【００５４】
また、図２は、第１の筐体と第２の筐体を折り畳む（閉状態とする）場合の処理の流れを整理して示したものである。
【００５５】
携帯通信端末では、常時、筐体の開閉状態の検出を行っており（ステップＳ１０１、Ｓ１０２）、筐体が開状態から閉状態に移行したことが検出されない場合は、現在起動しているアプリケーションなどに関連するディスプレイ点灯・キーＬＥＤ点灯を続行する（ステップＳ１０３）。
【００５６】
筐体が開状態から閉状態に移行したことが検出された場合は、現在起動中のアプリケーションの情報を取得し（ステップＳ１０４）、起動中のアプリケーションがある場合には、バイブレータの起動や、警告音の鳴動などを行う（ステップＳ１０５、Ｓ１０６）。
【００５７】
起動中のアプリケーションがない場合には、そのまま終了する。
【００５８】
以上、実施の形態について説明したが、この携帯通信端末は、上述の図示例にのみ限定されるものではなく、本発明の要旨を逸脱しない範囲内において種々変更を加え得ることは勿論である。
【００５９】
以上説明したように、本実施形態の携帯通信端末においては、表示部を備える筐体と、操作部を備える筐体とが開閉可能に構成され、複数のアプリケーションの起動が可能な携帯通信端末において、筐体の開閉状態を検出し、筐体が閉状態になったことを検出した場合に、起動中のアプリケーションがある時には、当該起動中のアプリケーションがあることをユーザに通知する。
【００６０】
これにより、ユーザに確実に実行中のアプリケーションの存在を通知できる。
【００６１】
また、携帯通信端末を使用していない時にバックグラウンドで実行が継続されたままとなるアプリケーションを減らすことができるので、無駄な電力消費を低減できる。
【００６２】
さらに、バックグラウンドで実行が継続されたままとなるアプリケーションを減らすことができるので、リソース不足によるパフォーマンスの低下を避けることができる。
【００６３】
またさらに、起動中のアプリケーションを通知する際に、表示部にアプリケーションの種別を表示することもでき、ユーザにアプリケーションを終了するか、継続するかを判断させることができる。
【００６４】
また、本実施形態の携帯通信端末においては、前記携帯通信端末が折り畳み型、またはスライド開閉型の携帯通信端末であるようにしたので、これにより、折り畳み型、またはスライド開閉型の両方の携帯通信端末に本発明を適用することができる。
【００６５】
また、本実施形態の携帯通信端末においては、前記報知手段が、バイブレータ用いた振動であるようにしたので、これにより、ユーザのほとんどは携帯通信端末本体を手で持って操作するので、ユーザに確実に実行中のアプリケーションの存在を通知できる。
【符号の説明】
【００６６】
１００ 第１の筐体
１０１ 表示部
１０２ イヤスピーカ
１０３ 撮像部
２００ 第２の筐体
２０１ 操作部
２０１ａ テンキー
２０２ 無線部
２０２ａ アンテナ
２０３ 制御部
２０４ 記憶部
２０５ 報知部
２０６ 駆動用バッテリ
３００ 結合部
３０１ 開閉検出手段
【図１】
2010213345.tif 000003
【図２】
2010213345.tif 000004